(57)【要約】【課題】電子銃側端部が欠けにくい凸部を有するフェライトコアを備えたカラー受像管装置を提供する。【解決手段】フェライトコア１０は、その内面に、管軸（Ｚ軸）に向かって突出し、かつ、長手方向が管軸を含む平面に沿うように設けられた複数の凸部２０を有しており、フェライトコア１０は、凸部２０の電子銃側の端部２２よりもさらに電子銃側に端部１８を有する。フェライトコア１０を台に置いたときに、凸部２０の電子銃側の端部２２が台に直接接触することがなく、凸部２０の電子銃側の端部が欠けることがない。【選択図】  図１
2004152582.tif 000002
【特許請求の範囲】
【請求項１】
内面に蛍光体スクリーン面が形成されたパネルとファンネルとが外囲器を構成し、前記ファンネルのネック部内に電子銃が設けられ、前記ファンネルの外部に偏向ヨークが設けられたカラー受像管装置であって、
前記偏向ヨークは、フェライトコアと、前記フェライトコアに巻かれた水平偏向コイルおよび垂直偏向コイルとを備えており、
前記フェライトコアは、その内面に、管軸に向かって突出し、かつ、長手方向が前記管軸を含む平面に沿うように設けられた複数の凸部を有しており、
前記フェライトコアは、前記凸部の前記電子銃側の端部よりもさらに前記電子銃側に先端部を有することを特徴とするカラー受像管装置。
【請求項２】
前記フェライトコアは、前記電子銃側の端部に円筒部を有しており、前記円筒部の内径は、前記凸部の根元部が前記電子銃側の端部において形成する円の径と同じかそれ以上である、請求項１に記載のカラー受像管装置。
【請求項３】
前記フェライトコアは、前記電子銃側の端部に複数の支持突起を有する、請求項１に記載のカラー受像管装置。
【発明の詳細な説明】
【０００１】
【発明の属する技術分野】
本発明は、テレビジョンやコンピュータディスプレイ等に用いられるカラー受像管装置に関し、偏向ヨークに用いる磁気コアの構造に関する。
【０００２】
【従来の技術】
図８は、一般にスロットコアと呼ばれているフェライトコアを用いた偏向ヨーク４の、ＸＹ断面図（Ｚ軸（管軸）と垂直な断面）を示す。図中、Ｘは水平軸を、Ｙは垂直軸を示す（以下、同じ。）。フェライトコア１０は、その内面に、おおむねＺ軸（中心０）に向かって突出する凸部２０を複数設けたものである。隣り合う凸部２０間の溝部に水平偏向コイル１２と垂直偏向コイル１４とを、絶縁スペーサ１６を介して巻き線し、偏向ヨーク４を構成する（例えば、特許文献１参照。）。
【０００３】
スロットコアを用いた偏向ヨークは、凸部がないフェライトコアを用いた偏向ヨークに比べ、凸部を受像管に近づけることができるため、偏向感度の点で有利である。また、コイルに磁束が鎖交しにくくなり、渦電流損失が低減して偏向ヨークの発熱も低減できる。
【０００４】
一方、スロットコアを用いた偏向ヨークでは、磁界分布を最適化するための巻線分布の自由度を高めることが課題となる。この課題を解決するため、フェライトコアの電子銃側にのみ凸部を設けることが提案されている（例えば、特許文献２参照。）。図６は、このようなフェライトコア１０のスクリーン側の端部を表す斜視図であり、図７は、電子銃側の端部を表す斜視図である。これらは、凸部２０が存在しないスクリーン側の内面領域を利用して、巻き線角度に変化をもたせることができるようにしたものである。
【０００５】
【特許文献１】
実開昭６１−５６７５７号公報
【特許文献２】
実公平７−３５２８９号公報
【０００６】
【発明が解決しようとする課題】
フェライトコアは、粉末状のフェライトコア材を金型でプレス成型した後に焼成することにより製造する。従来のフェライトコアでは、図７に示すように、凸部２０の電子銃側の端部２２がフェライトコア１０の電子銃側の端部１８と一致している（同一面上に位置する）。このため、フェライトコア材のプレス成型後、焼成前に、平らな台にフェライトコア１０の電子銃側の端部１８を接するように置いたときに、凸部２０の電子銃側の端部２２が薄いために欠けやすいという問題点を有していた。
【０００７】
本発明はこのような課題を解決するためになされたもので、電子銃側端部が欠けにくい凸部を有するフェライトコアを備えたカラー受像管装置を提供することを目的とする。
【０００８】
【課題を解決するための手段】
本発明のカラー受像管装置は、内面に蛍光体スクリーン面が形成されたパネルとファンネルとが外囲器を構成し、前記ファンネルのネック部内に電子銃が設けられ、前記ファンネルの外部に偏向ヨークが設けられたカラー受像管装置であって、前記偏向ヨークは、フェライトコアと、前記フェライトコアに巻かれた水平偏向コイルおよび垂直偏向コイルとを備えており、前記フェライトコアは、その内面に、管軸に向かって突出し、かつ、長手方向が前記管軸を含む平面に沿うように設けられた複数の凸部を有しており、前記フェライトコアは、前記凸部の前記電子銃側の端部よりもさらに前記電子銃側に端部を有することを特徴とする（請求項１）。
【０００９】
この構成によれば、フェライトコアの焼成工程において、スクリーン側の端部を上にし、電子銃側の端部を下にして台に置いたとき、凸部の電子銃側の端部が台に直接接触することがなく、凸部の電子銃側の端部が欠けることが防がれる。また、前記フェライトコアは、前記電子銃側の端部に円筒部を有しており、前記円筒部の内径は、前記凸部の根元部が前記電子銃側の端部において形成する円の径と同じかそれ以上であることが好ましい（請求項２）。この構成によれば、フェライトコアをプレス成型した後に金型から容易に抜くことができる。
【００１０】
また、前記フェライトコアは、前記電子銃側の端部に複数の支持突起を有するものでもよい（請求項３）。
【００１１】
【発明の実施の形態】
図５は、本発明のカラー受像管装置の側面図である。カラー受像管装置は、内面に蛍光体スクリーン面が形成された前面平面パネル１とファンネル２とが外囲器を構成し、ファンネル２のネック部内に電子銃３が設置され、ファンネル２の外面に偏向ヨーク４、コンバーゼンスヨーク５が装着される。偏向ヨーク４は、図８に示すものと同様の構造を有する。以下、本発明の特徴部である、偏向ヨーク４のフェライトコアの構造について説明する。
【００１２】
図１は、フェライトコア１０の電子銃側の端部を表す斜視図であり、図２は、スクリーン側の端部を表す斜視図である。フェライトコア１０は、その内面に、Ｚ軸（図示せず）に向かって、すなわちファンネル２に向かって突出し、かつ、長手方向がＺ軸を含む平面に沿うように設けられた複数の凸部２０を有する。隣り合う凸部２０の間に、根元部２４を有する。フェライトコア１０は、凸部２０の電子銃側の端部２２よりもさらに電子銃側に、電子銃側の端部１８を有し、円筒部３０を形成している。すなわち、フェライトコア１０の電子銃側の端部１８よりもスクリーン側に凹んだ位置に、凸部２０の電子銃側の端部２２が位置している。
【００１３】
図３は、フェライトコア１０のＹＺ断面（Ｙ軸とＺ軸を含む断面）の上側半分を示す。凸部２０を含む部分の断面である。図３において、Ｚ軸の座標は、電子銃側の端部１８でＺ＝０、スクリーン側が正である。フェライトコア１０は、スクリーン側の端部１９がＺ＝４８ｍｍ、すなわち管軸方向長さが４８ｍｍである。凸部２０は、Ｚ＝１〜２４ｍｍの領域に存在する。Ｚ＝０〜１ｍｍの領域は、凸部２０が存在せず、高さ１ｍｍの円筒部３０となっている。このような構造によれば、フェライトコアの焼成工程において、スクリーン側の端部１９を上にし、電子銃側の端部１８を下にして台に置いたとき、円筒部３０により支持されるので、凸部２０の電子銃側の端部２２が台に直接接触することがない。
【００１４】
図４は、フェライトコア１０のＸＹ平面図であり、電子銃側の端部を示す。フェライトコア１０の電子銃側の端部１８は円筒部３０であり、端部１８から１ｍｍ後退した位置に、凸部２０が放射状に配置されている。凸部２０の電子銃側の端部２２の先端が形成する円の内径Ｄ１はφ３１ｍｍである。凸部２０の電子銃側の端部２２の根元部２４の内径Ｄ２はφ４５．４ｍｍである。
【００１５】
フェライトコアをプレス成型した後に金型から抜くことを考えると、円筒部３０の内径は、根元部２４の内径Ｄ２と同じかそれ以上である必要がある。本実施の形態では、円筒部３０の内径はφ４５．４ｍｍである。円筒部３０の内径を、根元部２４の内径Ｄ２より大きくして、根元部２４との間に段差を設けても良い。
【００１６】
上記の構造により、フェライトコアの焼成工程における、凸部と台との接触に起因する凸部の欠けを防ぐことができる。
【００１７】
上記の実施の形態では、フェライトコアの電子銃側の端部に円筒部を設けたが、円筒部に限らず、凸部の電子銃側の端部よりさらに電子銃側にフェライトコアの端部が存在する構造であればよい。例えば、円筒部の代わりに３つの突起（支持突起）を等間隔で配置したようなものである。この構造でも、フェライトコアは焼成時に台上に３点支持され、凸部が台に直接接触することがない。強度の点からは、円筒が好ましい。
【００１８】
【発明の効果】
本発明によれば、凸部を有するフェライトコアの焼成工程において凸部の欠けが発生しない。偏向電力の小さいフェライトコアを用いたカラー受像管装置を、高歩留まり、かつ、安定した品質で提供することができる。
【図面の簡単な説明】
【図１】本発明のカラー受像管装置に用いるフェライトコアの斜視図
【図２】本発明のカラー受像管装置に用いるフェライトコアの斜視図
【図３】本発明のカラー受像管装置に用いるフェライトコアのＹＺ断面図
【図４】本発明のカラー受像管装置に用いるフェライトコアのＸＹ平面図
【図５】カラー受像管装置の側面図
【図６】従来のフェライトコアの斜視図
【図７】従来のフェライトコアの斜視図
【図８】従来のフェライトコアのＸＹ断面図
【符号の説明】
１  前面平面パネル
２  ファンネル
３  電子銃
４  偏向ヨーク
１０  フェライトコア
１２  水平偏向コイル
１４  垂直偏向コイル
１６  絶縁スペーサ
１８  電子銃側の端部
２０  凸部
２２  電子銃側の端部
２４  根元部
３０  円筒部
【図１】
2004152582.tif 000003
【図２】
2004152582.tif 000004
【図３】
2004152582.tif 000005
【図４】
2004152582.tif 000006
【図５】
2004152582.tif 000007
【図６】
2004152582.tif 000008
【図７】
2004152582.tif 000009
【図８】
2004152582.tif 000010